(57)【特許請求の範囲】
【請求項１】
少なくとも蒸発器と吸収器と凝縮器と低温再生器と高温再生器とを備え、
暖房運転時に高温再生器の熱効率を向上させるよう管路が構成され、かつ、暖房運転時に高温再生器における吸収液の濃度を下げるよう管路が構成されてなる吸収冷温水機であって、
リバースフローとされ、
冷媒溜りから蒸発器へ冷媒液を送液する冷媒管路を冷媒ポンプ下流で分岐させ、当該分岐管路を稀液溜りに連通させ、前記冷媒分岐管路に止め弁が配設され、前記冷媒管路の分岐点下流に止め弁が配設され、
吸収液の高温再生器から吸収器への戻り管路に、低温再生器からの高温再生器への管路の分岐管路が連通され、前記吸収液分岐管路に止め弁が配設され、
前記各止め弁は、暖房運転時に高温再生器における吸収液の濃度を下げるよう操作可能とされてなる
ことを特徴とする吸収冷温水機。
【請求項２】
少なくとも蒸発器と吸収器と凝縮器と低温再生器と高温再生器とを備え、
暖房運転時に高温再生器の熱効率を向上させるよう管路が構成され、かつ、暖房運転時に高温再生器における吸収液の濃度を下げるよう管路が構成されてなる吸収冷温水機であって、
リバースフローとされ、
冷媒溜りから蒸発器へ冷媒液を送液する冷媒管路を冷媒ポンプ下流で分岐させ、当該分岐管路を高温再生器に連通させ、前記冷媒分岐管路に止め弁が配設され、前記冷媒管路の分岐点下流に止め弁が配設され、
前記各止め弁は、暖房運転時に高温再生器における吸収液の濃度を下げるよう操作可能とされてなる
ことを特徴とする吸収冷温水機。
【請求項３】
少なくとも蒸発器と吸収器と凝縮器と低温再生器と高温再生器とを備え、
暖房運転時に高温再生器の熱効率を向上させるよう管路が構成され、かつ、暖房運転時に高温再生器における吸収液の濃度を下げるよう管路が構成されてなる吸収冷温水機であって、
パラレルフローとされ、
冷媒溜りから蒸発器へ冷媒液を送液する冷媒管路を冷媒ポンプ下流で分岐させ、当該分岐管路を稀液溜りに連通させ、前記冷媒分岐管路に止め弁が配設され、前記冷媒管路の分岐点下流に止め弁が配設され、
低温再生器へ吸収液を供給する吸収液管路に止め弁が配設され、
前記各止め弁は、暖房運転時に高温再生器における吸収液の濃度を下げるよう操作可能とされてなる
ことを特徴とする吸収冷温水機。
【請求項４】
少なくとも蒸発器と吸収器と凝縮器と低温再生器と高温再生器とを備え、
暖房運転時に高温再生器の熱効率を向上させるよう管路が構成され、かつ、暖房運転時に高温再生器における吸収液の濃度を下げるよう管路が構成されてなる吸収冷温水機であって、
パラレルフローとされ、
冷媒溜りから蒸発器へ冷媒液を送液する冷媒管路を冷媒ポンプ下流で分岐させ、当該分岐管路を高温再生器に連通させ、前記冷媒分岐管路に止め弁が配設され、前記冷媒管路の分岐点下流に止め弁が配設され、
前記各止め弁は、暖房運転時に高温再生器における吸収液の濃度を下げるよう操作可能とされてなる
ことを特徴とする吸収冷温水機。
【請求項５】
少なくとも蒸発器と吸収器と凝縮器と低温再生器と高温再生器とを備え、
暖房運転時に高温再生器の熱効率を向上させるよう管路が構成され、かつ、暖房運転時に高温再生器における吸収液の濃度を下げるよう管路が構成されてなる吸収冷温水機であって、
シリーズフローとされ、
冷媒溜りから蒸発器へ冷媒液を送液する冷媒管路を冷媒ポンプ下流で分岐させ、当該分岐管路を高温再生器に連通させ、前記冷媒分岐管路に止め弁が配設され、前記冷媒管路の分岐点下流に止め弁が配設され、
前記各止め弁は、暖房運転時に高温再生器における吸収液の濃度を下げるよう操作可能とされてなる
ことを特徴とする吸収冷温水機。
【請求項６】
止め弁が電気信号により開閉される自動弁とされ、前記自動弁が冷房運転と暖房運転との切替信号により開閉されるようにされてなることを特徴とする請求項１，２，３，４または５記載の吸収冷温水機。
【請求項７】
少なくとも蒸発器と吸収器と凝縮器と低温再生器と高温再生器とを備え、
暖房運転時に高温再生器の熱効率を向上させるよう管路に設けられている止め弁、および再生器に吸収液を供給する溶液ポンプの操作をなし、かつ、高温再生器における吸収液の濃度を下げるよう止め弁の操作をなす吸収冷温水機の運転方法であって、
リバースフローとされ、
冷媒溜りから蒸発器へ冷媒液を送液する冷媒管路を冷媒ポンプ下流で分岐させ、当該分岐管路を稀液溜りに連通させ、前記冷媒分岐管路に止め弁が配設され、前記冷媒管路の分岐点下流に止め弁が配設され、
吸収液の高温再生器から吸収器への戻り管路に、低温再生器からの高温再生器への管路の分岐管路が連通され、前記吸収液分岐管路に止め弁が配設され、
暖房運転時に、前記冷媒分岐管路の止め弁を開とし、前記冷媒管路の分岐点下流の止め弁を閉とし、それにより高温再生器における吸収液の濃度を下げる
ことを特徴とする吸収冷温水機の運転方法。
【請求項８】
暖房運転時に吸収液分岐管路の止め弁を閉とすることを特徴とする請求項７記載の吸収冷温水機の運転方法。
【請求項９】
少なくとも蒸発器と吸収器と凝縮器と低温再生器と高温再生器とを備え、
暖房運転時に高温再生器の熱効率を向上させるよう管路に設けられている止め弁、および再生器に吸収液を供給する溶液ポンプの操作をなし、かつ、高温再生器における吸収液の濃度を下げるよう止め弁の操作をなす吸収冷温水機の運転方法であって、
リバースフローとされ、
冷媒溜りから蒸発器へ冷媒液を送液する冷媒管路を冷媒ポンプ下流で分岐させ、当該分岐管路を高温再生器に連通させ、前記冷媒分岐管路に止め弁が配設され、前記冷媒管路の分岐点下流に止め弁が配設され、
暖房運転時に、前記冷媒分岐管路の止め弁を開とし、前記冷媒管路の分岐点下流の止め弁を閉とし、それにより高温再生器における吸収液の濃度を下げる
ことを特徴とする吸収冷温水機の運転方法。
【請求項１０】
少なくとも蒸発器と吸収器と凝縮器と低温再生器と高温再生器とを備え、
暖房運転時に高温再生器の熱効率を向上させるよう管路に設けられている止め弁、および再生器に吸収液を供給する溶液ポンプの操作をなし、かつ、高温再生器における吸収液の濃度を下げるよう止め弁の操作をなす吸収冷温水機の運転方法であって、
パラレルフローとされ、
冷媒溜りから蒸発器へ冷媒液を送液する冷媒管路を冷媒ポンプ下流で分岐させ、当該分岐管路を稀液溜りに連通させ、前記冷媒分岐管路に止め弁が配設され、前記冷媒管路の分岐点下流に止め弁が配設され、
低温再生器へ吸収液を供給する吸収液管路に止め弁が配設され、
暖房運転時に、前記冷媒分岐管路の止め弁を開とし、前記冷媒管路の分岐点下流の止め弁を閉とし、それにより高温再生器における吸収液の濃度を下げる
ことを特徴とする吸収冷温水機の運転方法。
【請求項１１】
暖房運転時に吸収液分岐管路の止め弁を閉とすることを特徴とする請求項１０記載の吸収冷温水機の運転方法。
【請求項１２】
少なくとも蒸発器と吸収器と凝縮器と低温再生器と高温再生器とを備え、
暖房運転時に高温再生器の熱効率を向上させるよう管路に設けられている止め弁、および再生器に吸収液を供給する溶液ポンプの操作をなし、かつ、高温再生器における吸収液の濃度を下げるよう止め弁の操作をなす吸収冷温水機の運転方法であって、
パラレルフローとされ、
冷媒溜りから蒸発器へ冷媒液を送液する冷媒管路を冷媒ポンプ下流で分岐させ、当該分岐管路を高温再生器に連通させ、前記冷媒分岐管路に止め弁が配設され、前記冷媒管路の分岐点下流に止め弁が配設され、
暖房運転時に、前記冷媒分岐管路の止め弁を開とし、前記冷媒管路の分岐点下流の止め弁を閉とし、それにより高温再生器における吸収液の濃度を下げる
ことを特徴とする吸収冷温水機の運転方法。
【請求項１３】
少なくとも蒸発器と吸収器と凝縮器と低温再生器と高温再生器とを備え、
暖房運転時に高温再生器の熱効率を向上させるよう管路に設けられている止め弁、および再生器に吸収液を供給する溶液ポンプの操作をなし、かつ、高温再生器における吸収液の濃度を下げるよう止め弁の操作をなす吸収冷温水機の運転方法であって、
シリーズフローとされ、
冷媒溜りから蒸発器へ冷媒液を送液する冷媒管路を冷媒ポンプ下流で分岐させ、当該分岐管路を高温再生器に連通させ、前記冷媒分岐管路に止め弁が配設され、前記冷媒管路の分岐点下流に止め弁が配設され、
暖房運転時に、前記冷媒分岐管路の止め弁を開とし、前記冷媒管路の分岐点下流の止め弁を閉とし、それにより高温再生器における吸収液の濃度を下げる
ことを特徴とする吸収冷温水機の運転方法。
【請求項１４】
暖房運転時に溶液ポンプの運転を停止することを特徴とする請求項９，１２または１３記載の吸収冷温水機の運転方法。
【発明の詳細な説明】
【技術分野】
【０００１】
本発明は吸収冷温水機およびその運転方法に関する。さらに詳しくは、暖房運転における効率が改善されてなる吸収冷温水機およびその運転方法に関する。
【背景技術】
【０００２】
従来より、冷房運転の他に暖房運転もなし得る吸収冷温水機が知られている。
【０００３】
しかしながら、従来の吸収冷温水機は冷房運転における効率が重視されているため、暖房運転時には、次のような問題が生じている。
【０００４】
一つ目は、暖房運転中における吸収液の温度が高いため、熱効率が悪い。
【０００５】
すなわち、吸収冷温水機は冷房運転中における冷媒を保有するため、蒸発器の下部に冷媒溜まりを設けている。一方、暖房運転中は、蒸発器において冷媒蒸気を凝縮させることで温熱を取り出している。温熱が取り出された後の凝縮水は冷媒溜まりに溜められるが、冷媒溜まりに溜まりきらない分のみ、吸収液に混入し吸収液とともにポンプで高温再生器に送液される。ついで、吸収液は高温再生器などで加熱されて冷媒蒸気を発生し、冷媒蒸気を発生して高濃度となった吸収液は吸収器に戻される。このとき、高温再生器において吸収液の濃度が高いと吸収液の飽和温度が高くなり、燃焼ガスとの温度差が小さくなる。そのため、燃焼ガスから充分な熱回収がなされずに燃焼ガスが外部に放出され、熱効率が悪化する。
【０００６】
二つ目は、吸収液の循環量が冷房運転基準に設定されているため、暖房運転時の吸収液の循環量が過少となっている。
【０００７】
すなわち、吸収冷温水機の吸収液循環量は、冷房出力および冷房効率の面から重要であり、その循環量は冷房負荷に応じて制御されている。しかしながら、前述したとおり暖房運転中に吸収液循環量を減少させると、吸収液濃度が高くなり熱効率が悪化する。そのため、吸収液循環量を減少させることはできない。
【０００８】
三つ目は、不要な熱交換器に吸収液などが供給されている。
【０００９】
すなわち、吸収冷温水機は、再生器を二つ有する二重効用が一般的である。この二重効用吸収冷温水機における吸収液を再生器に送る形式については、吸収液を二つの再生器に並列に送るパラレルフロー（図１５参照）、吸収液を低温再生器に送液した後にその一部を高温再生器に送液し、残りを吸収器に送液するリバースフロー（図１６参照）、吸収液を高温再生器に送液した後に低温再生器に送液するシリーズフロー（図１７参照）の三種類が知られている。
【００１０】
しかるに、パラレルフローにおいては、暖房運転中においても低温再生器にも送液されるため、高温再生器に流入する吸収液量が減少して吸収液濃度が高くなって熱効率が悪化する。また、リバースフローにおいては、低温再生器からの吸収液を一部吸収器に戻しているものもあるため、そのようなリバースサイクルにあっては高温再生器に流入する吸収液量が減少して吸収液濃度が高くなって熱効率が悪化している。
【００１１】
つまり、従来の吸収冷温水機では暖房運転時に効率悪化を招来している。
【００１２】
なお、従来の暖房運転もなし得る吸収冷温水機の例が特許文献１に提案されている。
【先行技術文献】
【特許文献】
【００１３】
【特許文献１】特開２００９−２３６３６９号公報
【発明の開示】
【発明が解決しようとする課題】
【００１４】
本発明はかかる従来技術の課題に鑑みなされたものであって、暖房運転時における効率が改善されてなる吸収冷温水機およびその運転方法を提供することを目的としている。
【課題を解決するための手段】
【００１５】
本発明の吸収冷温水機の第１形態の第１態様は、少なくとも蒸発器と吸収器と凝縮器と低温再生器と高温再生器とを備え、暖房運転時に高温再生器の熱効率を向上させるよう管路が構成され、かつ、暖房運転時に高温再生器における吸収液の濃度を下げるよう管路が構成されてなる吸収冷温水機であって、リバースフローとされ、冷媒溜りから蒸発器へ冷媒液を送液する冷媒管路を冷媒ポンプ下流で分岐させ、当該分岐管路を稀液溜りに連通させ、前記冷媒分岐管路に止め弁が配設され、前記冷媒管路の分岐点下流に止め弁が配設され、吸収液の高温再生器から吸収器への戻り管路に、低温再生器からの高温再生器への管路の分岐管路が連通され、前記吸収液分岐管路に止め弁が配設され、前記各止め弁は、暖房運転時に高温再生器における吸収液の濃度を下げるよう操作可能とされてなることを特徴とする。
【００１８】
本発明の吸収冷温水機の第１形態の第２態様は、少なくとも蒸発器と吸収器と凝縮器と低温再生器と高温再生器とを備え、暖房運転時に高温再生器の熱効率を向上させるよう管路が構成され、かつ、暖房運転時に高温再生器における吸収液の濃度を下げるよう管路が構成されてなる吸収冷温水機であって、リバースフローとされ、 冷媒溜りから蒸発器へ冷媒液を送液する冷媒管路を冷媒ポンプ下流で分岐させ、当該分岐管路を高温再生器に連通させ、前記冷媒分岐管路に止め弁が配設され、前記冷媒管路の分岐点下流に止め弁が配設され、前記各止め弁は、暖房運転時に高温再生器における吸収液の濃度を下げるよう操作可能とされてなることを特徴とする。
【００１９】
本発明の吸収冷温水機の第２形態の第１態様は、少なくとも蒸発器と吸収器と凝縮器と低温再生器と高温再生器とを備え、暖房運転時に高温再生器の熱効率を向上させるよう管路が構成され、かつ、暖房運転時に高温再生器における吸収液の濃度を下げるよう管路が構成されてなる吸収冷温水機であって、パラレルフローとされ、冷媒溜りから蒸発器へ冷媒液を送液する冷媒管路を冷媒ポンプ下流で分岐させ、当該分岐管路を稀液溜りに連通させ、前記冷媒分岐管路に止め弁が配設され、前記冷媒管路の分岐点下流に止め弁が配設され、低温再生器へ吸収液を供給する吸収液管路に止め弁が配設され、前記各止め弁は、暖房運転時に高温再生器における吸収液の濃度を下げるよう操作可能とされてなることを特徴とする。
【００２０】
本発明の吸収冷温水機の第２形態の第２態様は、少なくとも蒸発器と吸収器と凝縮器と低温再生器と高温再生器とを備え、暖房運転時に高温再生器の熱効率を向上させるよう管路が構成され、かつ、暖房運転時に高温再生器における吸収液の濃度を下げるよう管路が構成されてなる吸収冷温水機であって、パラレルフローとされ、冷媒溜りから蒸発器へ冷媒液を送液する冷媒管路を冷媒ポンプ下流で分岐させ、当該分岐管路を高温再生器に連通させ、前記冷媒分岐管路に止め弁が配設され、前記冷媒管路の分岐点下流に止め弁が配設され、前記各止め弁は、暖房運転時に高温再生器における吸収液の濃度を下げるよう操作可能とされてなることを特徴とする。
【００２１】
本発明の吸収冷温水機の第３形態は、少なくとも蒸発器と吸収器と凝縮器と低温再生器と高温再生器とを備え、暖房運転時に高温再生器の熱効率を向上させるよう管路が構成され、かつ、暖房運転時に高温再生器における吸収液の濃度を下げるよう管路が構成されてなる吸収冷温水機であって、シリーズフローとされ、冷媒溜りから蒸発器へ冷媒液を送液する冷媒管路を冷媒ポンプ下流で分岐させ、当該分岐管路を高温再生器に連通させ、前記冷媒分岐管路に止め弁が配設され、前記冷媒管路の分岐点下流に止め弁が配設され、前記各止め弁は、暖房運転時に高温再生器における吸収液の濃度を下げるよう操作可能とされてなることを特徴とする。
【００２２】
本発明の吸収冷温水機においては、止め弁が電気信号により開閉される自動弁とされ、前記自動弁が冷房運転と暖房運転との切替信号により開閉されるようにされてなるのが好ましい。
【００２５】
本発明の吸収冷温水機の運転方法の第１形態の第１態様は、少なくとも蒸発器と吸収器と凝縮器と低温再生器と高温再生器とを備え、暖房運転時に高温再生器の熱効率を向上させるよう管路に設けられている止め弁、および再生器に吸収液を供給する溶液ポンプの操作をなし、かつ、高温再生器における吸収液の濃度を下げるよう止め弁の操作をなす吸収冷温水機の運転方法であって、リバースフローとされ、冷媒溜りから蒸発器へ冷媒液を送液する冷媒管路を冷媒ポンプ下流で分岐させ、当該分岐管路を稀液溜りに連通させ、前記冷媒分岐管路に止め弁が配設され、前記冷媒管路の分岐点下流に止め弁が配設され、吸収液の高温再生器から吸収器への戻り管路に、低温再生器からの高温再生器への管路の分岐管路が連通され、前記吸収液分岐管路に止め弁が配設され、暖房運転時に、前記冷媒分岐管路の止め弁を開とし、前記冷媒管路の分岐点下流の止め弁を閉とし、それにより高温再生器における吸収液の濃度を下げることを特徴とする。
【００２６】
本発明の吸収冷温水機の運転方法の第１形態の第１態様においては、暖房運転時に吸収液分岐管路の止め弁を閉とするのが好ましい。
【００２７】
本発明の吸収冷温水機の運転方法の第１形態の第２態様は、少なくとも蒸発器と吸収器と凝縮器と低温再生器と高温再生器とを備え、暖房運転時に高温再生器の熱効率を向上させるよう管路に設けられている止め弁、および再生器に吸収液を供給する溶液ポンプの操作をなし、かつ、高温再生器における吸収液の濃度を下げるよう止め弁の操作をなす吸収冷温水機の運転方法であって、リバースフローとされ、冷媒溜りから蒸発器へ冷媒液を送液する冷媒管路を冷媒ポンプ下流で分岐させ、当該分岐管路を高温再生器に連通させ、前記冷媒分岐管路に止め弁が配設され、前記冷媒管路の分岐点下流に止め弁が配設され、暖房運転時に、前記冷媒分岐管路の止め弁を開とし、前記冷媒管路の分岐点下流の止め弁を閉とし、それにより高温再生器における吸収液の濃度を下げることを特徴とする。
【００２８】
本発明の吸収冷温水機の運転方法の第２形態の第１態様は、少なくとも蒸発器と吸収器と凝縮器と低温再生器と高温再生器とを備え、 暖房運転時に高温再生器の熱効率を向上させるよう管路に設けられている止め弁、および再生器に吸収液を供給する溶液ポンプの操作をなし、かつ、高温再生器における吸収液の濃度を下げるよう止め弁の操作をなす吸収冷温水機の運転方法であって、パラレルフローとされ、冷媒溜りから蒸発器へ冷媒液を送液する冷媒管路を冷媒ポンプ下流で分岐させ、当該分岐管路を稀液溜りに連通させ、前記冷媒分岐管路に止め弁が配設され、前記冷媒管路の分岐点下流に止め弁が配設され、低温再生器へ吸収液を供給する吸収液管路に止め弁が配設され、暖房運転時に、前記冷媒分岐管路の止め弁を開とし、前記冷媒管路の分岐点下流の止め弁を閉とし、それにより高温再生器における吸収液の濃度を下げることを特徴とする。本発明の吸収冷温水機の運転方法の第２形態の第１態様においては、暖房運転時に吸収液分岐管路の止め弁を閉とするのが好ましい。
【００２９】
本発明の吸収冷温水機の運転方法の第２形態の第２態様は、少なくとも蒸発器と吸収器と凝縮器と低温再生器と高温再生器とを備え、 暖房運転時に高温再生器の熱効率を向上させるよう管路に設けられている止め弁、および再生器に吸収液を供給する溶液ポンプの操作をなし、かつ、高温再生器における吸収液の濃度を下げるよう止め弁の操作をなす吸収冷温水機の運転方法であって、 パラレルフローとされ、冷媒溜りから蒸発器へ冷媒液を送液する冷媒管路を冷媒ポンプ下流で分岐させ、当該分岐管路を高温再生器に連通させ、前記冷媒分岐管路に止め弁が配設され、前記冷媒管路の分岐点下流に止め弁が配設され、暖房運転時に、前記冷媒分岐管路の止め弁を開とし、前記冷媒管路の分岐点下流の止め弁を閉とし、それにより高温再生器における吸収液の濃度を下げることを特徴とする。
【００３０】
本発明の吸収冷温水機の運転方法の第３形態は、少なくとも蒸発器と吸収器と凝縮器と低温再生器と高温再生器とを備え、暖房運転時に高温再生器の熱効率を向上させるよう管路に設けられている止め弁、および再生器に吸収液を供給する溶液ポンプの操作をなし、かつ、高温再生器における吸収液の濃度を下げるよう止め弁の操作をなす吸収冷温水機の運転方法であって、シリーズフローとされ、冷媒溜りから蒸発器へ冷媒液を送液する冷媒管路を冷媒ポンプ下流で分岐させ、当該分岐管路を高温再生器に連通させ、前記冷媒分岐管路に止め弁が配設され、前記冷媒管路の分岐点下流に止め弁が配設され、暖房運転時に、前記冷媒分岐管路の止め弁を開とし、前記冷媒管路の分岐点下流の止め弁を閉とし、それにより高温再生器における吸収液の濃度を下げることを特徴とする。
【００３１】
本発明の吸収冷温水機の運転方法の第１形態の第２態様、本発明の吸収冷温水機の運転方法の第２形態の第２態様、および本発明の吸収冷温水機の運転方法の第３形態においては、暖房運転時に溶液ポンプの運転を停止するのが好ましい。
【発明の効果】
【００３２】
本発明は前記の如く構成されているので、暖房運転時の熱効率の向上を図ることができるという優れた効果を奏する。本発明の好ましい形態によれば、暖房運転時に溶液ポンプが停止されるので、消費動力の低減も図られるという優れた効果を奏する。
【図面の簡単な説明】
【００３３】
【図１】本発明の実施形態１に係る吸収冷温水機の概略図であって、冷房運転時を示す。
【図２】本発明の実施形態１に係る吸収冷温水機の概略図であって、暖房運転時を示す。
【図３】本発明の実施形態２に係る吸収冷温水機の概略図であって、冷房運転時を示す。
【図４】本発明の実施形態２に係る吸収冷温水機の概略図であって、暖房運転時を示す。
【図５】本発明の実施形態３に係る吸収冷温水機の概略図であって、冷房運転時を示す。
【図６】本発明の実施形態３に係る吸収冷温水機の概略図であって、暖房運転時を示す。
【図７】本発明の実施形態４に係る吸収冷温水機の概略図であって、冷房運転時を示す。
【図８】本発明の実施形態４に係る吸収冷温水機の概略図であって、暖房運転時を示す。
【図９】本発明の実施形態５に係る吸収冷温水機の概略図であって、冷房運転時を示す。
【図１０】本発明の実施形態５に係る吸収冷温水機の概略図であって、暖房運転時を示す。
【図１１】本発明の実施形態６に係る吸収冷温水機の概略図であって、冷房運転時を示す。
【図１２】本発明の実施形態６に係る吸収冷温水機の概略図であって、暖房運転時を示す。
【図１３】本発明の実施形態７に係る吸収冷温水機の概略図であって、冷房運転時を示す。
【図１４】本発明の実施形態７に係る吸収冷温水機の概略図であって、暖房運転時を示す。
【図１５】パラレルフローの吸収冷温水機のブロック図である。
【図１６】リバースフローの吸収冷温水機のブロック図である。
【図１７】シリーズフローの吸収冷温水機のブロック図である。
【発明を実施するための形態】
【００３４】
以下、添付図面を参照しながら本発明を実施形態に基づいて説明するが、本発明はかかる実施形態のみに限定されるものではない。
【００３５】
実施形態１
図１および図２に、本発明の実施形態１に係る吸収冷温水機Ｒを概略図で示す。
【００３６】
吸収冷温水機Ｒは、図１および図２に示すように、低温再生器ＬＧと高温再生器ＨＧを有する二重効用吸収冷温水機とされ、フロー形式はリバースフローとされている。図中、符号Ａは吸収器を示し、符号Ｃは凝縮器を示し、符号Ｅは蒸発器を示し、ＫＰは稀液溜りを示し、ＲＰは冷媒溜りを示し、ＬＸは低温熱交換器を示し、ＨＸは高温熱交換器を示し、Ｌは液体管路を示し、ＳＬは蒸気管路を示し、Ｐはポンプを示し、ＶおよびＳＶは弁を示す。また、塗りつぶされた弁は閉止弁とされる。
【００３７】
吸収冷温水機Ｒは、基本的な構成は従来の二重効用吸収冷温水機と同様とされているが、以下の点において従来の二重効用吸収冷温水機と異なる。
【００３８】
その１：冷媒溜りＲＰと稀液溜りＫＰを管路Ｌ１により連通させるとともに、その管路Ｌ１に開閉弁Ｖ１を介装して冷媒溜りＲＰと稀液溜りＫＰとの縁切りがなし得るようにされている。
【００３９】
その２：冷媒を蒸発器Ｅに送液する管路Ｌ２に冷媒ポンプＰ１の出口から稀液溜りＫＰへの分岐管路Ｌ２１を設けるとともに、その管路Ｌ２１に開閉弁Ｖ２を介装して冷媒ポンプＰ１と稀液溜りＫＰとの縁切りがなし得るようにされている。
【００４０】
その３：冷媒ポンプＰ１の出口から稀液溜りＫＰへの分岐管路Ｌ２１に冷媒が供給されるよう、管路Ｌ２の分岐管路Ｌ２１の分岐の下流側に開閉弁Ｖ３が介装されている。
【００４１】
その４：低温再生器ＬＧから高温熱交換ＨＸへの管路Ｌ５を中間液ポンプＰ３の入口側で分岐させ、その分岐管路５１と高温熱交換ＨＸから低温熱交換ＬＸへの管路Ｌ８と合流させるとともに、その分岐管路Ｌ５１に開閉弁Ｖ４を介装して縁切りがなし得るようにされている。
【００４２】
次に、かかる構成とされた二重効用吸収冷温水機Ｒの運転時における吸収液、冷媒液、および冷媒蒸気の流れについて説明する。
【００４３】
まず、図１を参照しながら、冷房運転時について説明する。図１に示すように、冷房運転時には、Ｖ１，２は閉とされ、Ｖ３，４は開とされ、ＳＶ１は閉とされる。
【００４４】
吸収液の流れ
吸収液フロー１：稀液溜りＫＰの稀吸収液は、稀液ポンプ(溶液ポンプ)Ｐ２により低温熱交換器ＬＸの被加熱側に管路Ｌ３により送液され、ついで管路Ｌ４により低温再生器ＬＧに送液される。
【００４５】
吸収液フロー２：低温再生器ＬＧで冷媒の一部が蒸発して濃度が中間程度になった吸収液（以下、中間液という）は、中間液ポンプ(溶液ポンプ)Ｐ３により大部分が高温熱交換器ＨＸの被加熱側に管路Ｌ５により送液され、ついで管路Ｌ６により高温再生器ＨＧに送液される一方、残部は分岐管路Ｌ５１に送液される。
【００４６】
吸収液フロー３：高温再生器ＨＧで冷媒の一部が蒸発して濃度が濃くなった吸収液（以下、濃液という）は、管路Ｌ７により高温熱交換器ＨＸの加熱側に送液され、ついで管路Ｌ８により低温熱交換器ＬＸの加熱側に送液される。この管路Ｌ８には分岐管路Ｌ５１が接合され、濃液は中間液と混合されて中間濃度の濃液(以下、中間濃液という)となって低温熱交換器ＬＸに送液される。
【００４７】
吸収液フロー４：低温熱交換ＬＸに送液された中間濃液は減温されて管路Ｌ９により吸収器Ａに送液される。つまり、吸収液は吸収器Ａに戻る。
【００４８】
冷媒液の流れ
冷媒液フロー１：冷媒溜りＲＰの冷媒液は冷媒ポンプＰ１により蒸発器Ｅまで管路Ｌ２により送液される。なお、蒸発器Ｅには凝縮器Ｃからの冷媒液も供給される。
冷媒液フロー２：蒸発器Ｅに送液された冷媒液は冷水を冷却した後に冷媒溜りＲＰに落下する。なお、この際に気化した冷媒は吸収器Ａに送気されて吸収液に吸収される。
【００４９】
冷媒蒸気の流れ
冷媒蒸気フロー１：高温再生器ＨＧで発生した冷媒蒸気は、管路ＳＬ１により低温再生器ＬＧに送気されて稀吸収液を加熱する。
【００５０】
冷媒蒸気フロー２：低温再生器ＬＧで稀吸収液を加熱した冷媒蒸気（汽水混合体）は、管路Ｌ１０により凝縮器Ｃに送気され、凝縮器Ｃで凝縮され冷媒液となる。
【００５１】
冷媒蒸気フロー３：冷媒蒸気の加熱により低温再生器ＬＧで発生した冷媒蒸気は、管路ＳＬ２により凝縮器Ｃに送気され、凝縮器Ｃで凝縮され冷媒液となる。
【００５２】
次に、図２を参照しながら、暖房運転時について説明する。図２に示すように、暖房運転時には、Ｖ１，２は開とされ、Ｖ３，４は閉とされ、ＳＶ１は開とされる。
【００５３】
吸収液の流れは、低温再生器ＬＧから中間液の全量が高温再生器ＨＧに送液される他は冷房時と同様とされる。
【００５４】
冷媒液の流れ
冷媒液フロー１：冷媒溜りＲＰの余剰冷媒液は管路Ｌ１により稀液溜りＫＰに直接送液される。
【００５５】
冷媒液フロー２：冷媒溜りＲＰの冷媒は冷媒ポンプＰ１により稀液溜りＫＰに管路Ｌ２１により送液される。
【００５６】
冷媒蒸気の流れ
冷媒蒸気フロー１：高温再生器ＨＧで発生した冷媒蒸気は、ほとんどが管路ＳＬ１１により蒸発器Ｅに送気され、残りのわずかな蒸気は管路ＳＬ１に送気される。なお、蒸発器Ｅで温水を加熱した冷媒蒸気は冷媒液となって冷媒溜りＲＰに溜まる。
【００５７】
冷媒蒸気フロー２：低温再生器ＬＧに送気された冷媒蒸気は管路Ｌ１０により凝縮器Ｃに送気される。
【００５８】
冷媒蒸気フロー３：凝縮器Ｃに送気された冷媒蒸気は、凝縮器Ｃで凝縮されることなく蒸発器Ｅに送気される。つまり、暖房運転時には凝縮器Ｃには冷却水は供給されていないので、冷媒蒸気は、単に凝縮器Ｃを通過するにすぎない。なお、蒸発器Ｅで温水を加熱した冷媒蒸気は冷媒液となって冷媒溜りＲＰに溜まる。
【００５９】
このように、本実施形態では、暖房運転時に冷媒が吸収液に混入されるようにされているので、高温再生器ＨＧにおける吸収液の濃度を下げることができて熱効率の向上が図られる。
【００６０】
実施形態２
図３および図４に、本発明の実施形態２に係る吸収冷温水機Ｒを概略図で示す。なお、図中、図１および図２における符号と同一の符号を付したものは同一または類似の構成要素を示す。
【００６１】
吸収冷温水機Ｒは、図３および図４に示すように、低温再生器ＬＧと高温再生器ＨＧを有する二重効用吸収冷温水機とされ、フロー形式はパラレルフローとされている。
【００６２】
吸収冷温水機Ｒは、基本的な構成は従来の二重効用吸収冷温水機と同様とされているが、実施形態１と同様の改変がなされている。
【００６３】
次に、かかる構成とされた二重効用吸収冷温水機Ｒの運転時における吸収液、冷媒液、および冷媒蒸気の流れについて説明する。
【００６４】
まず、図３を参照しながら、冷房運転時について説明する。図３に示すように、冷房運転時には、Ｖ１，２は閉とされ、Ｖ３，５は開とされ、ＳＶ１は閉とされる。
【００６５】
吸収液の流れ
吸収液フロー１：稀液溜りＫＰの稀吸収液は、稀液ポンプ(溶液ポンプ)Ｐ２により低温熱交換器ＬＸの被加熱側に管路Ｌ３により送液され、ついで管路ＬＭ１に送液される。
【００６６】
吸収液フロー２：管路ＬＭ１に送液された稀吸収液の一部は、管路ＬＰ１により低温再生器ＬＧに送液される一方、残部は管路ＬＰ３により高温熱交換器ＨＸの被加熱側に送液される。
【００６７】
吸収液フロー３：高温熱交換器ＨＸの被加熱側に送液された稀吸収液は、管路ＬＰ４により高温再生器ＨＧに送液される。
【００６８】
吸収液フロー４：高温再生器ＨＧで冷媒の一部が蒸発して濃度が濃くなった吸収液（以下、濃液という）は、管路ＬＰ５により高温熱交換器ＨＸの加熱側に送液され、ついで管路ＬＰ６に送液される。
【００６９】
吸収液フロー５：低温再生器ＬＧで冷媒の一部が蒸発して濃度が濃くなった吸収液（以下、中間液という）は、管路ＬＰ２に送液される。
【００７０】
吸収液フロー６：管路ＬＰ２に送液された中間液と、管路ＬＰ６に送液された濃液とは、管路ＬＭ２に送液されて混合され、中間濃度の吸収液(以下、中間濃液という)となって管路ＬＭ２により低温熱交換器ＬＸの加熱側に送液される。
【００７１】
吸収液フロー７：低温熱交換ＬＸに送液された中間濃液は減温されて管路Ｌ９により吸収器Ａに送液される。つまり、吸収液は吸収器Ａに戻る。
【００７２】
冷媒液の流れは実施形態１と同様とされる。
【００７３】
冷媒蒸気の流れは実施形態１と同様とされる。
【００７４】
次に、図４を参照しながら、暖房運転時について説明する。図４に示すように、暖房運転時には、Ｖ１，２は開とされ、Ｖ３，５は閉とされ、ＳＶ１は開とされる。
【００７５】
吸収液のフローは、低温熱交換器ＬＸから稀吸収液の全量が高温再生器ＨＧに送液される他は冷房時と同様とされる。
【００７６】
冷媒液の流れは、実施形態１と同様とされる。
【００７７】
冷媒蒸気の流れは、実施形態１と同様とされる。
【００７８】
このように、本実施形態では、暖房運転時に冷媒液が吸収液に混入されるようにされているので、高温再生器ＨＧにおける吸収液の濃度を下げることができて熱効率の向上が図られる。
【００７９】
実施形態３
図５および図６に、本発明の実施形態３に係る吸収冷温水機Ｒを概略図で示す。
【００８０】
実施形態３は実施形態１を改変してなるものであって、管路Ｌ２を冷媒液ポンプＰ１の下流で分岐させ分岐管路Ｌ２２を高温再生器ＨＧに連通させるとともに、分岐管路Ｌ２２に開閉弁Ｖ６を配設してなるものとされる。なお、図中、図１および図２における符号と同一の符号を付したものは同一または類似の構成要素を示す。
【００８１】
次に、かかる構成とされた二重効用吸収冷温水機Ｒの運転時における吸収液、冷媒液、および冷媒蒸気の流れについて説明する。
【００８２】
まず、図５を参照しながら、冷房運転時について説明する。図５に示すように、冷房運転時には、Ｖ６は閉とされ、Ｖ３は開とされ、ＳＶ１は閉とされる。
吸収液の流れは実施形態１と同様とされ、冷媒液の流れは実施形態１と同様とされ、冷媒蒸気の流れは実施形態１と同様とされている。
【００８３】
次に、図６を参照しながら、暖房運転時について説明する。図６に示すように、暖房運転時には、Ｖ６は開とされ、Ｖ３は閉とされ、ＳＶ１は開とされる。
【００８４】
吸収液の流れ
稀液ポンプＰ２および中間液ポンプＰ３が停止されているので、吸収液の流れは生じない。
【００８５】
冷媒液の流れ
管路Ｌ２，Ｌ２２により高温再生器ＨＧに送液される。
【００８６】
冷媒蒸気の流れは実施形態１と同様とされている。
【００８７】
このように、本実施形態によれば、熱効率の向上が図られるばかりではなく、暖房運転時の消費動力が低減されるという実施形態１では得られない効果も得られる。
【００８８】
実施形態４
図７および図８に、本発明の実施形態４に係る吸収冷温水機Ｒを概略図で示す。
【００８９】
実施形態４は実施形態２を改変してなるものであって、管路Ｌ２を冷媒液ポンプＰ１の下流で分岐させ分岐管路Ｌ２２を高温再生器ＨＧに連通させるとともに、分岐管路Ｌ２２に開閉弁Ｖ６を配設してなるものとされる。なお、図中、図３および図４における符号と同一の符号を付したものは同一または類似の構成要素を示す。
【００９０】
次に、かかる構成とされた二重効用吸収冷温水機Ｒの運転時における吸収液、冷媒液、および冷媒蒸気の流れについて説明する。
【００９１】
まず、図７を参照しながら、冷房運転時について説明する。図７に示すように、冷房運転時には、Ｖ１，６は閉とされ、Ｖ３は開とされ、ＳＶ１は閉とされる。
吸収液の流れは実施形態２と同様とされ、冷媒液の流れは実施形態２と同様とされ、冷媒蒸気の流れは実施形態２と同様とされている。
【００９２】
次に、図８を参照しながら、暖房運転時について説明する。図８に示すように、暖房運転時には、Ｖ６は開とされ、Ｖ１，３は閉とされ、ＳＶ１は開とされる。
【００９３】
吸収液の流れ
稀液ポンプＰ２が停止されているので、吸収液の流れは生じない。
【００９４】
冷媒液の流れ
管路Ｌ２，Ｌ２２により高温再生器ＨＧに送液される。
【００９５】
冷媒蒸気の流れは実施形態２と同様とされている。
【００９６】
このように、本実施形態によれば、熱効率の向上が図られるばかりではなく、暖房運転時の消費動力が低減されるという実施形態２では得られない効果も得られる。
【００９７】
実施形態５
図９および図１０に、本発明の実施形態５に係る吸収冷温水機Ｒを概略図で示す。
【００９８】
実施形態５は実施形態３を改変してなるものであって、管路Ｌ１を廃止してなるものとされる。なお、図中、図５および図６における符号と同一の符号を付したものは同一または類似の構成要素を示す。
【００９９】
次に、かかる構成とされた二重効用吸収冷温水機Ｒの運転時における吸収液、冷媒液、および冷媒蒸気の流れについて説明する。
【０１００】
まず、図９を参照しながら、冷房運転時について説明する。図９に示すように、冷房運転時には、Ｖ６は閉とされ、Ｖ３は開とされ、ＳＶ１は閉とされる。
【０１０１】
吸収液の流れは実施形態３と同様とされ、冷媒液の流れは実施形態３と同様とされ、冷媒蒸気の流れは実施形態３と同様とされている。
【０１０２】
次に、図１０を参照しながら、暖房運転時について説明する。図１０に示すように、暖房運転時には、Ｖ６は開とされ、Ｖ３は閉とされ、ＳＶ１は開とされる。
【０１０３】
吸収液の流れ
稀液ポンプＰ２および中間液ポンプＰ３が停止されているので、吸収液の流れは生じない。
【０１０４】
冷媒液の流れ
管路Ｌ２，Ｌ２２により高温再生器ＨＧに送液される。
【０１０５】
冷媒蒸気の流れは実施形態３と同様とされている。
【０１０６】
このように、本実施形態によれば、構成の簡素化が図られるという実施形態３では得られない効果も得られる。
【０１０７】
実施形態６
図１１および図１２に、本発明の実施形態６に係る吸収冷温水機Ｒを概略図で示す。
【０１０８】
実施形態６は実施形態４を改変してなるものであって、管路Ｌ１を廃止するとともに、開閉弁Ｖ５を廃止してなるものとされる。なお、図中、図７および図８における符号と同一の符号を付したものは同一または類似の構成要素を示す。
【０１０９】
次に、かかる構成とされた二重効用吸収冷温水機Ｒの運転時における吸収液、冷媒液、および冷媒蒸気の流れについて説明する。
【０１１０】
まず、図１１を参照しながら、冷房運転時について説明する。図１１に示すように、冷房運転時には、Ｖ６は閉とされ、Ｖ３は開とされ、ＳＶ１は閉とされる。
【０１１１】
吸収液の流れは実施形態４と同様とされ、冷媒液の流れは実施形態４と同様とされ、冷媒蒸気の流れは実施形態４と同様とされている。
【０１１２】
次に、図１２を参照しながら、暖房運転時について説明する。図１２に示すように、暖  房運転時には、Ｖ６は開とされ、Ｖ３は閉とされ、ＳＶ１は開とされる。
【０１１３】
吸収液の流れ
稀液ポンプＰ２が停止されているので、吸収液の流れは生じない。
【０１１４】
冷媒液の流れ
管路Ｌ２，Ｌ２２により高温再生器ＨＧに送液される。
【０１１５】
冷媒蒸気の流れは実施形態４と同様とされている。
【０１１６】
このように、本実施形態によれば、構成の簡素化が図られるという実施形態３では得られない効果も得られる。
【０１１７】
実施形態７
図１３および図１４に、本発明の実施形態７に係る吸収冷温水機Ｒを概略図で示す。
実施形態７は実施形態５を改変してなるものであって、フローをシリーズフローとしてなるものとされる。なお、図中、図９および図１０における符号と同一の符号を付したものは同一または類似の構成要素を示す。
【０１１８】
次に、かかる構成とされた二重効用吸収冷温水機Ｒの運転時における吸収液、冷媒液、および冷媒蒸気の流れについて説明する。
【０１１９】
まず、図１３を参照しながら、冷房運転時について説明する。図１３に示すように、冷房運転時には、Ｖ６は閉とされ、Ｖ３は開とされ、ＳＶ１は閉とされる。
【０１２０】
吸収液の流れ
吸収液フロー１：稀液溜りＫＰの稀吸収液は、稀液ポンプ(溶液ポンプ)Ｐ２により低温熱交換器ＬＸの被加熱側に管路Ｌ３により送液され、ついで管路Ｌ３１により高温熱交換器ＨＸの被加熱側に送液され、しかる後管路Ｌ３２により高温再生器ＨＧに送液される。
【０１２１】
吸収液フロー２：高温再生器ＨＧで冷媒の一部が蒸発して濃度が中間程度になった吸収液（以下、中間液という）は、管路Ｌ４１により高温熱交換器ＨＸの加熱側に送液され、しかる後管路Ｌ４２により低温再生器ＬＧに送液される。
【０１２２】
吸収液フロー３：低温再生器ＬＧで冷媒の一部が蒸発して濃度が濃くなった吸収液（以下、濃液という）は、管路Ｌ４３により低温熱交換器ＬＸの加熱側に送液される。
吸収液フロー４：低温熱交換ＬＸに送液された濃液は減温されて管路Ｌ９により吸収器Ａに送液される。つまり、吸収液は吸収器Ａに戻る。
【０１２３】
冷媒液の流れ
冷媒液フロー１：冷媒溜りＲＰの冷媒液は冷媒ポンプＰ１により蒸発器Ｅまで管路Ｌ２により送液される。なお、蒸発器Ｅには凝縮器Ｃからの冷媒液も供給される。
【０１２４】
冷媒液フロー２：蒸発器Ｅに送液された冷媒液は冷水を冷却した後に冷媒溜りＲＰに落下する。なお、この際に気化した冷媒は吸収器Ａに送気されて吸収液に吸収される。
【０１２５】
冷媒蒸気の流れ
冷媒蒸気フロー１：高温再生器ＨＧで発生した冷媒蒸気は、管路ＳＬ１により低温再生器ＬＧに送気されて中間液を加熱する。
【０１２６】
冷媒蒸気フロー２：低温再生器ＬＧで中間液を加熱した冷媒蒸気（汽水混合体）は、管路Ｌ１０により凝縮器Ｃに送気され、凝縮器Ｃで凝縮され冷媒液となる。
【０１２７】
冷媒蒸気フロー３：冷媒蒸気の加熱により低温再生器ＬＧで発生した冷媒蒸気は、管路ＳＬ２により凝縮器Ｃに送気され、凝縮器Ｃで凝縮され冷媒液となる。
【０１２８】
次に、図１０を参照しながら、暖房運転時について説明する。図１０に示すように、暖房運転時には、Ｖ６は開とされ、Ｖ３は閉とされ、ＳＶ１は開とされる。
【０１２９】
吸収液の流れ
稀液ポンプＰ２が停止されているので、吸収液の流れは生じない。
【０１３０】
冷媒液の流れ
管路Ｌ２，Ｌ２２により高温再生器ＨＧに送液される。
【０１３１】
冷媒蒸気の流れは実施形態５と同様とされている。
【０１３２】
このように、本実施形態によれば、暖房運転時における熱効率の向上および消費動力の低減がシリーズフローにおいても達成される。
【０１３３】
以上、本発明を実施形態に基づいて説明してきたが、本発明かかる実施形態のみに限定されるものではなく、種々改変が可能である。
【０１３４】
例えば、本実施形態では二重効用吸収冷温水機を例に取り説明されているが、本発明の適用は二重効用吸収冷温水機に限定されるものではなく、例えば三重効用吸収冷温水機にも適用できる。
【０１３５】
また、弁は電気信号により開閉される自動弁とされ、冷房と暖房の切替に応答して、弁の開閉を制御するようにされてもよい。ここで、自動弁としては、電磁弁、電動弁、空気弁などがあげられる。
【産業上の利用可能性】
【０１３６】
本発明は吸収冷温水機に適用できる。
【符号の説明】
【０１３７】
Ｒ          吸収冷温水機
Ａ          吸収器
Ｃ          凝縮器
Ｅ          蒸発器
ＬＧ        低温再生器
ＨＧ        高温再生器
ＬＸ        低温熱交換器
ＨＸ        高温熱交換器
Ｌ          管路
ＳＬ        蒸気管路
Ｐ          ポンプ
Ｖ，ＳＶ    弁
【図１】
0005982700.tif 000002
【図２】
0005982700.tif 000003
【図３】
0005982700.tif 000004
【図４】
0005982700.tif 000005
【図５】
0005982700.tif 000006
【図６】
0005982700.tif 000007
【図７】
0005982700.tif 000008
【図８】
0005982700.tif 000009
【図９】
0005982700.tif 000010
【図１０】
0005982700.tif 000011
【図１１】
0005982700.tif 000012
【図１２】
0005982700.tif 000013
【図１３】
0005982700.tif 000014
【図１４】
0005982700.tif 000015
【図１５】
0005982700.tif 000016
【図１６】
0005982700.tif 000017
【図１７】
0005982700.tif 000018